(57)【要約】【課題】第１の導線を巻き付けるフェライトコアと第２の導線との距離を離すことなく、第１の導線およびフェライトコアを保護しつつ、第１の導線およびフェライトコアと第２の導線との接触を防止可能な構造を提供すること。【解決手段】第１の導線と第２の導線とを保持する導線保持ユニットであって、前記第１の導線をガイドする第１のガイド部材と、前記第２の導線をガイドする第２のガイド部材と、から構成され、前記第１のガイド部材は、前記第１の導線を巻き付けたフェライトコアを収納する収納部を有し、前記第２のガイド部材は、前記収納部を塞ぐ閉塞部を有し、前記閉塞部により、前記第１の導線および前記フェライトコアと、前記第２の導線とが接触しないよう仕切られる。【選択図】図５
2019029613.tif 000002
【特許請求の範囲】
【請求項１】
第１の導線と第２の導線とを保持する導線保持ユニットであって、
前記第１の導線をガイドする第１のガイド部材と、前記第２の導線をガイドする第２のガイド部材と、から構成され、
前記第１のガイド部材は、前記第１の導線を巻き付けたフェライトコアを収納する収納部を有し、
前記第２のガイド部材は、前記収納部を塞ぐ閉塞部を有し、
前記閉塞部により、前記第１の導線および前記フェライトコアと、前記第２の導線とが接触しないよう仕切られることを特徴とする導線保持ユニット。
【請求項２】
前記第１のガイド部材および前記第２のガイド部材は、前記第１の導線と前記第２の導線とを、少なくとも一部が略並行となるようにガイドすることを特徴とする請求項１に記載の導線保持ユニット。
【請求項３】
前記第２のガイド部材は、前記第１の導線と略並行な前記第２の導線を、前記収納部から離れた方向に伸長するようにガイドするガイド部を有することを特徴とする請求項１または２に記載の導線保持ユニット。
【請求項４】
前記第１のガイド部材は、前記閉塞部の前記収納部に対する相対位置を決める位置決め部を有することを特徴とする請求項１乃至３の何れか１項に記載の導線保持ユニット。
【請求項５】
前記第１の導線は、電力を伝える導線であり、前記第２の導線は、制御用信号を伝える信号線であることを特徴とする請求項１乃至４の何れか１項に記載の導線保持ユニット。
【請求項６】
前記第２の導線は、並行する複数の導線が帯状に一体化された、フレキシブルフラットケーブル、フレキシブルプリンテッドサーキット、またはリボンケーブルであることを特徴とする請求項５に記載の導線保持ユニット。
【請求項７】
記録部と、コントロール部と、モータと、該モータと該コントロール部との間に配される前記第１の導線および前記第２の導線を保持する請求項１乃至６の何れか１項に記載の導線保持ユニットと、を備える記録装置。
【発明の詳細な説明】
【技術分野】
【０００１】
本発明は、導線保持ユニットおよび記録装置に関する。
【背景技術】
【０００２】
従来、装置内部の導線を所定の位置に保持するための技術が知られている。例えば、特許文献１では、導線であるＦＦＣは筒状のフェライトコアを貫通しており、フェライトコアとＦＦＣは、それぞれ保持部材により保持され、ガイドされている。また、特許文献２では、導線を円筒状のフェライトコアに巻きつけ、フェライトコアサドルで導線を保持することで、フェライトコアと導線とを同時に保持している。
【先行技術文献】
【特許文献】
【０００３】
【特許文献１】特開２０１７−３４０３３号公報
【特許文献２】特開２００６−１３０６０号公報
【発明の概要】
【発明が解決しようとする課題】
【０００４】
導線が特許文献２に示されるようなワイヤーハーネスである場合、フェライトコアに導線を貫通させるだけでなく、導線を円筒状のフェライトコアに複数回通し巻きつけることで、ノイズ伝達抑止効果を高めることがある。円筒状のフェライトコアに導線を巻きつけた場合、導線の巻き付け位置を安定させることは難しい。
【０００５】
そのため、フェライトコアに巻き付ける導線（第１の導線）近傍に他の導線（第２の導線）を配する場合、フェライトコアと第２の導線との間の距離を離す必要がある。これは、第１の導線の巻き付け位置がフェライトコア上のどの位置になっても、第１の導線およびフェライトコアと、第２の導線とが接触しないようにするためである。しかし、フェライトコアと第２の導線との間の距離を離すことは、装置のサイズを増大させてしまう原因となる。
【０００６】
本発明は、上記の課題に鑑み、第１の導線を巻き付けるフェライトコアと第２の導線との距離を離すことなく、第１の導線およびフェライトコアを保護しつつ、第１の導線およびフェライトコアと第２の導線との接触を防止可能な構造を提供することを目的とする。
【課題を解決するための手段】
【０００７】
本発明は、第１の導線と第２の導線とを保持する導線保持ユニットであって、前記第１の導線をガイドする第１のガイド部材と、前記第２の導線をガイドする第２のガイド部材と、から構成され、前記第１のガイド部材は、前記第１の導線を巻き付けたフェライトコアを収納する収納部を有し、前記第２のガイド部材は、前記収納部を塞ぐ閉塞部を有し、前記閉塞部により、前記第１の導線および前記フェライトコアと、前記第２の導線とが接触しないよう仕切られることを特徴とする導線保持ユニットである。
【発明の効果】
【０００８】
本発明により、第１の導線を巻き付けるフェライトコアと第２の導線との距離を離すことなく、第１の導線およびフェライトコアを保護しつつ、第１の導線およびフェライトコアと第２の導線との接触を防止することが可能になる。
【図面の簡単な説明】
【０００９】
【図１】本発明の実施形態における記録装置内部の上面図
【図２】本発明の実施形態における記録装置の断面図
【図３】本発明の実施形態における記録装置内部の斜視図
【図４】本発明の実施形態における記録装置のブロック図
【図５】本発明の実施形態における導線保持ユニットの断面図
【図６】本発明の実施形態における導線保持ユニットの斜視図
【図７】本発明の実施形態における導線保持ユニットの分解斜視図
【発明を実施するための形態】
【００１０】
以下、図面を参照して、本発明の実施形態における記録装置について説明する。以下の実施形態では、液体を吐出する液体吐出装置、具体的には、インクを吐出するインクジェット記録装置について説明するが、本発明はこれに限定されるものではない。例えば、本発明は、シリアルヘッドのプリンタに限らず、ラインヘッドのプリンタにも適用可能である。また、本発明の液体吐出装置は、プリンタ、複写機、通信システムを有するファクシミリ、プリンタ部を有するワードプロセッサ等の装置、更には、各種処理装置と複合的に組み合わせた産業記録装置に適用可能である。例えば、バイオチップ作製や電子回路印刷等の用途としても用いることができる。
【００１１】
また、以下の実施形態は、本発明の具体例であるから、技術的に好ましい様々の限定が付けられている。しかし、本発明の思想に沿うものであれば、実施形態は以下の実施形態やその他の具体的方法に限定されるものではない。例えば、以下の実施形態に記載されている構成部品の寸法、形状、それらの相対配置等は、本発明が適用される装置の構成および各種条件により適宜変更されるべきものである。
【００１２】
＜インクジェット記録装置の構造について＞
図１から図４は、本発明の実施形態におけるインクジェット記録装置の説明図である。詳しくは、図１は、インクジェット記録装置（以下、単純に記録装置とする）１の内部の上面図である。図２は、記録装置１の断面図である。図３は、記録装置１内部のコントロール部７を示す斜視図である。尚、図３（ａ）ではカバー部２９１が図示されているのに対し、図３（ｂ）ではコア収納部２８１内のフェライトコア２７を明示するためにカバー部２９１等の一部の構成要素を図示していない。図４は、記録装置１のブロック図であって、記録装置１が備えるコントロール部７のプリント基板（以下ＰＣＢとする）と各モータとの間の接続形態を説明する図である。
【００１３】
記録装置１は、シート状の記録媒体を供給する供給部２、記録媒体を搬送する搬送部３、記録媒体を排出する排出部４、記録媒体に記録する記録部５、および記録部５の記録性能を維持するメンテナンス部６、並びに、これらを制御するコントロール部７を備える。供給部２において、積載面２１に積載された記録媒体はピックアップローラ２２によって搬送され、該搬送された記録媒体は、分離部２３によって１枚ずつ分離されてから搬送部３に送られる。搬送部３に送られた記録媒体は、搬送ローラ３１と従動ローラ３２とによってレジスト調整されてから、記録部５に送られる。記録部５に送られた記録媒体は、プラテン５１上に保持された状態で、記録ヘッド５２からインクが吐出されることで画像が記録される。記録ヘッド５２は、キャリッジ５３に着脱可能に取り付けられる。キャリッジ５３は、シャーシ５４によって、シートの搬送方向（矢印Ａ方向）と交差（本例の場合は、直交）する主走査方向（矢印Ｂ方向）に移動可能に支持されている。キャリッジ駆動モータ（以下ＣＲモータとする）５５で生じた駆動力が不図示の伝達ベルトによってキャリッジ５３に伝達されることにより、キャリッジ５３が主走査方向に往復移動される。記録ヘッド５２がキャリッジ５３と共に主走査方向（矢印Ｂ方向）に移動しつつインクを吐出する記録動作と、記録媒体を副走査方向（矢印Ａ方向）に所定量搬送する搬送動作とを繰り返し行うことによって、記録媒体に画像が記録される。
【００１４】
画像が記録された記録媒体は排出部４に送られ、ローラ４１と拍車４２とによって、記録装置１の外に排出される。キャリッジ５３の移動領域の一端側には、記録ヘッド５２のインク吐出部をクリーニングすることで、その吐出性能を回復するメンテナンス部６が配備されている。メンテナンス部６は、記録ヘッド５２のインク吐出部が配列された表面をキャップするキャップ機構も有する。
【００１５】
記録媒体の供給とメンテナンス部６の駆動とは、供給部２に設けられたメンテナンス部６と共用のモータ（以下ＡＰモータとする）２４により行われる。搬送部３と排出部４との駆動はラインフィードモータ（以下ＬＦモータとする）３３により行われる。
【００１６】
ＡＰモータ２４は、ＡＰモータ制御用信号線２６を介して伝えられる信号に従い、ＡＰモータ駆動用導線２５を介して伝えられる電力によって駆動される。図４に示すように、ペーパーエンドセンサ（以下ＰＥセンサとする）、ＡＰエンコーダ、およびＡＳＦ  ＣＡＭ  エンコーダは、中継基板を経由してＡＰモータ制御用信号線２６により、コントロール部７のＰＣＢと接続されている。ここでＡＰモータ制御用信号線２６は、並行する複数の導線が帯状に一体化された導線であり、具体的には、フレキシブルフラットケーブル（ＦＦＣ）、フレキシブルプリンテッドサーキット（ＦＰＣ）、またはリボンケーブル等が用いられる。
【００１７】
尚、ＡＰモータ２４と同様に、ＬＦモータ３３は、ＬＦモータ制御用信号線３５を介して伝えられる信号に従い、ＬＦモータ駆動用導線３４を介して伝えられる電力によって駆動される。また、ＣＲモータ５５は、ＣＲモータ制御用信号線５７を介して伝えられる信号に従い、ＣＲモータ駆動用導線５６を介して伝えられる電力によって駆動される。
【００１８】
＜導線保持ユニットについて＞
図５から図７は、複数の導線、具体的にはＡＰモータ駆動用導線２５およびＡＰモータ制御用信号線２６を保持する導線保持ユニットの説明図である。詳しくは、図５は導線保持ユニットの断面図であり、図６は導線保持ユニットの斜視図であり、図７は導線保持ユニットの分解斜視図である。図５〜図７に示すように、導線保持ユニットは、ＡＰモータ駆動用導線２５をガイドする第１のガイド部材２８と、ＡＰモータ制御用信号線２６をガイドする第２のガイド部材２９とが組み合わさって構成される。また、図６に示すように、ＡＰモータ駆動用導線２５およびＡＰモータ制御用信号線２６は、第１のガイド部材２８、第２のガイド部材２９等に設けられた抜け止めの爪により、少なくとも一部が略並行となるように配される。
【００１９】
図５、図７に示すように、ＡＰモータ駆動用導線２５はノイズ対策の目的で、円筒状のフェライトコア２７に巻き付けられている。フェライトコア２７は、第１のガイド部材２８に設けられた上部が開いた箱形状（ポケット状）のコア収納部２８１に収納される。図５、図６に示すように、第１のガイド部材２８と第２のガイド部材２９とを組み合わせると、コア収納部２８１の開いた上部は、第２のガイド部材２９に設けられたカバー部（閉塞部ともいう）２９１によって塞がれる。この結果、フェライトコア２７、および、フェライトコア２７に巻き付いているＡＰモータ駆動用導線２５は、第１のガイド部材２８と第２のガイド部材２９とにより、外部から保護されつつ保持される。
【００２０】
図６に示すように、ＡＰモータ駆動用導線２５と並行して中継基板から伸長するＡＰモータ制御用信号線２６は、第１のガイド部材２８上を通り、カバー部２９１の上面を通ってガイドされ、コントロール部７に接続される。このとき、ＡＰモータ制御用信号線２６と、ＡＰモータ駆動用導線２５やフェライトコア２７とは、仕切り部として機能するカバー部２９１によって隔てられている。従って、ＡＰモータ制御用信号線２６と、ＡＰモータ駆動用導線２５やフェライトコア２７とが接触することはない。よって、ＡＰモータ駆動用導線２５をフェライトコア２７に巻き付ける際に、導線の積層方向の高さや巻き付け位置を考慮せずに済むため、組立て時における作業効率の低下を防ぐことが可能である。
【００２１】
図６、図７に示すように、カバー部２９１の位置は第１のガイド部材２８に設けられた位置決め部２８２によって位置決めされる。従って、ガイド部材に導線による力がかかったり、記録装置１の輸送時に外力が働いたりしたような場合であっても、コア収納部２８１に対するカバー部２９１の相対位置を維持できる。これにより確実に、コア収納部２８１内のフェライトコア２７およびＡＰモータ駆動用導線２５を保護しつつ、フェライトコア２７およびＡＰモータ駆動用導線２５と、ＡＰモータ制御用信号線２６との接触を防止することが可能となる。
【００２２】
また、図５、図７に示すように、ＡＰモータ制御用信号線２６は第２のガイド部材２９に設けられたガイド部２９２によってカバー部２９１上でガイドされる。このとき、ガイド部２９２により、ＡＰモータ駆動用導線２５と略並行に伸長するＡＰモータ制御用信号線２６は、コア収納部２８１から離れた方向に伸長するようにガイドされる。これにより、ＡＰモータ制御用信号線２６がカバー部２９１を越えてコア収納部２８１内に入り込むことを回避している。
【００２３】
＜本発明の変形例について＞
上述の実施形態の導線保持ユニットは、ＡＰモータ駆動用導線やフェライトコアと、ＡＰモータ制御用信号線とを隔離するように構成したが、導線の組み合わせはこれに限定されない。例えば、ＣＲモータ駆動用導線とＣＲモータ制御用信号線とを隔離するような構成や、ＬＦモータ駆動用導線とＬＦモータ制御用信号線とを隔離するような構成にも、本発明を適用可能である。また、上述の実施形態では、コア収納部に１つのフェライトコアを収納するようにしたが、コア収納部に複数のコアを収納するようにしても良く、または、複数の収納部を設け１つのカバー部でカバーするようにしても良い。さらに、本実施形態ではコア収納部を上部が開いた構成にしたが、側部または下部が開いた構成にしても良い。例えば、側面または下面に開口部を有し、その開口部をカバー部がカバーするような形態が考えられる。
【符号の説明】
【００２４】
２４  ＡＰモータ
２５  ＡＰモータ駆動用導線
２６  ＡＰモータ制御用信号線
２７  フェライトコア
２８  第１のガイド部材
２９  第２のガイド部材
２８１  コア収納部
２９１  カバー部（閉塞部）
【図１】
2019029613.tif 000003
【図２】
2019029613.tif 000004
【図３】
2019029613.tif 000005
【図４】
2019029613.tif 000006
【図５】
2019029613.tif 000007
【図６】
2019029613.tif 000008
【図７】
2019029613.tif 000009